(57)【要約】  一態様では、第１および第２の建物構造部材を接続するための接合システムが提供される。本システムは、第１の建物構造部材（１４）に接続する、第１および第２の雌ドグ受け面（２０，２２）を含む雌ドグ（１８）を含み、これらの受け面は、互いにほぼ反対向きであり、軸を画定する開孔（２４）に隣接する。本システムは、第２の建物構造部材（１６）に接続可能な、互いにほぼ向かい合う第１および第２の雄ドグクランプ面（３３，３４）を含む雄ドグ（３２）をさらに含む。雄ドグ（３２）は、開孔（２４）に挿入され、雌ドグ（１８）を締め付けるために第１の横方向に移動する。ロック装置（４２）は、雌ドグ（１８）に対するクランプ力を増大させるように雄ドグ（３２）の第１の横方向への移動を可能にし、第１の横方向と反対の動きを阻止するように係合する第１および第２のロック構造（４４，４６）を含む。
2020504257.tif 000002
【特許請求の範囲】
【請求項１】
第１の建物構造部材と第２の建物構造部材とを接続するための接合システムであって、
前記第１の建物構造部材に接続可能な、第１の雌ドグ受け面および第２の雌ドグ受け面を含む雌ドグであり、前記第１の雌ドグ受け面および前記第２の雌ドグ受け面が互いにほぼ反対向きであり、開孔軸を画定する雄ドグ貫通孔に隣接する、雌ドグと、
前記第２の建物構造部材に接続可能な、第１の雄ドグクランプ面および第２の雄ドグクランプ面を含む雄ドグであり、前記第１の雄ドグクランプ面および前記第２の雄ドグクランプ面が互いにほぼ向かい合い、前記雄ドグの一部が前記雄ドグ貫通孔を貫いて挿入可能であり、前記雌ドグを締め付けるために第１のほぼ横方向に移動可能である、雄ドグと、
前記雌ドグ上に第１のロック構造および前記雄ドグ上に第２のロック構造を含むロック装置であり、前記第１のロック構造が前記第２のロック構造と係合可能であり、前記雌ドグに対する前記雄ドグのクランプ力を増大させるように前記雄ドグの前記第１のほぼ横方向への移動を可能にし、前記第１のほぼ横方向と反対の第２のほぼ横方向への前記雄ドグの移動を阻止する、ロック装置と、
を備える、接合システム。
【請求項２】
前記第１のロック構造が前記第１の雌ドグ受け面上に複数の雌ドグ歯を含み、前記第２のロック構造が前記第１の雄ドグクランプ面上に複数の雄ドグ歯を含み、前記複数の雌ドグ歯および前記複数の雄ドグ歯がほぼ軸方向／横方向の面内で互いに嵌合可能である、請求項１に記載の接合システム。
【請求項３】
前記第１のロック構造が前記雌ドグ上に爪を含み、前記第２のロック構造が複数の雄ドグ歯を含み、前記ロック装置が前記爪を前記複数の雄ドグ歯と係合するように促す爪付勢部材をさらに含む、請求項１または２に記載の接合システム。
【請求項４】
前記雌ドグが、ほぼ横方向に延在する雌ドグ底板と、前記雌ドグ底板に対してほぼ垂直に延在する雌ドグ突起板と、を含み、前記雄ドグが、ほぼ横方向に延在する雄ドグ底板と、前記雄ドグ底板に対してほぼ垂直に延在する雄ドグ突起板と、を含む、請求項１から３のいずれか一項に記載の接合システム。
【請求項５】
前記第１の雌ドグ受け面が前記雌ドグ突起板上にあり、前記第２の雌ドグ受け面が前記雌ドグ底板上にあり、前記第１の雄ドグクランプ面が前記雄ドグ突起板上にあり、前記第２の雄ドグクランプ面が前記雄ドグ底板上にある、請求項４に記載の接合システム。
【請求項６】
水平に延在する横梁であって、前記横梁が頂壁、底壁、および側壁を有し、前記頂壁、前記底壁、および前記側壁によって少なくとも部分的に画定される内部を有し、前記側壁が互いに水平方向に離間している床支持貫通スロットを複数有する、横梁と、
床支持部材であって、前記側壁に直接隣接して、前記内部の前記床支持貫通スロットから上向きに延在する鉛直部分、および床パネルを支持するために前記床支持貫通スロットを通って外側に延在する水平部分を含む、床支持部材と、
を備える、床支持システム。
【請求項７】
前記床支持部材がほぼＬ字形である、請求項６に記載の床支持システム。
【請求項８】
前記床支持部材が前記横梁によって支持されるが、前記横梁とは別部材である、請求項６または７に記載の床支持システム。
【請求項９】
ボルトねじ山を有するボルトと、
ほぼ水平に延在し、屋根パネル側壁ボルト開孔が貫通する側壁を有する屋根パネル支持部材であって、前記屋根パネル支持部材が横方向の動きを阻止するための前記ボルトを支持するように位置決めされたボルト保持面を有する、屋根パネル支持部材と、
前記屋根パネル支持部材の前記側壁と嵌合可能な屋根パネル側壁を有する屋根パネルであって、屋根パネルねじ付き開孔が貫通する、屋根パネルと、
を備え、
前記ボルトが前記屋根パネル支持部材の前記側壁を通って、前記屋根パネルねじ付き開孔を通って延在し、前記屋根パネルおよび前記屋根パネル支持部材の少なくとも一方が前記ボルトへのアクセスを可能にするアクセス開孔を有し、前記ボルトおよび前記屋根パネルねじ付き開孔の少なくとも一方を、前記ボルトおよび前記屋根パネルねじ付き開孔のもう一方に対して回転可能にして、前記屋根パネル側壁が前記屋根パネル支持部材の前記側壁と接するようにする、
屋根パネル接合システム。
【請求項１０】
前記屋根パネル支持部材が、前記ボルトねじ山と係合したときの前記ボルト保持面である屋根パネル支持部材ねじ付き開孔を有する、請求項９に記載の屋根パネル接合システム。
【請求項１１】
前記ボルトがボルトヘッドを有し、前記ボルト保持面が、前記ボルトヘッドと係合する前記屋根パネル支持部材上の肩部である、請求項９または１０に記載の屋根パネル接合システム。
【請求項１２】
第１の壁パネルと第２の壁パネルとを接合するための接合システムであって、
前記第１の壁パネルに接続された第１の支持板、前記第２の壁パネルに接続された第２の支持板、前記第１の支持板上の第１のクランプ面、および前記第２の支持板上の第２のクランプ面、ならびに、
第１の端部チャンバ内に第１の端部を有するねじ付き部材であって、前記第１の支持板、前記第２の壁パネル、および前記第２の支持板を通過する、ねじ付き部材であり、前記第１の端部が前記第１のクランプ面に接し、第２の端部が、前記第２の壁パネルを前記第１の壁パネルに締め付けるために前記第２の支持板に対して締め付け可能なナットを有する、ねじ付き部材を備える、
接合システム。
【発明の詳細な説明】
【技術分野】
【０００１】
本開示は、モジュール式建築システム、詳細には、壁および屋根部材などの構造部材を接続し、床パネルを支持するためのシステムおよび方法に関する。
【背景技術】
【０００２】
モジュール式建築システムが提案されているが、一般に、建物に組み立てるのに時間がかかり、完成するのに現場でかなりの量の作業が必要になることがある。建物の組み立て現場で必要な仕上げ作業量を減らし、組み立てるのが比較的容易なモジュール式建築システムを提供することが好ましいであろう。
【発明の概要】
【０００３】
一態様において、第１の建物構造部材と第２の建物構造部材とを接続するための接合システムが提供される。本接合システムは、第１の建物構造部材に接続可能な、第１の雌ドグ受け面および第２の雌ドグ受け面を含む雌ドグを含む。第１および第２の雌ドグ受け面は、互いにほぼ反対向きであり、開孔軸を画定する雄ドグ貫通開孔に隣接する。接合システムは、第２の建物構造部材に接続可能な、第１の雄ドグクランプ面および第２の雄ドグクランプ面を含む雄ドグをさらに含む。第１および第２の雄ドグクランプ面は、互いにほぼ向かい合っている。雄ドグの一部は、雄ドグ貫通開孔を貫いて挿入可能であり、雌ドグを締め付けるために第１のほぼ横方向に移動可能である。接合システムは、雌ドグの第１のロック構造および雄ドグの第２のロック構造を含むロック装置をさらに含む。第１のロック構造は、第２のロック構造と係合可能であり、雌ドグに対する雄ドグのクランプ力を増大させるように雄ドグの第１の横方向への移動を可能にし、第１のほぼ横方向と反対の第２のほぼ横方向への雄ドグの移動を阻止する。
【０００４】
別の態様では、床支持システムが提供され、横梁および床支持部材を含む。横梁は、水平に延在する。横梁は、頂壁、底壁、および側壁を有し、少なくとも部分的に頂壁、底壁、および側壁によって画定される内部を有する。側壁は、互いに水平方向に離間された複数の床支持貫通スロットを有する。床支持部材は、側壁に直接隣接して、内部のスロットから上向きに延在する垂直部分と、床パネルを支持するためにスロットを通って外部に延在する水平部分と、を含む。
【０００５】
さらに別の態様では、屋根パネル接合システムが提供され、ボルト、屋根パネル支持部材、および屋根パネルを含む。ボルトは、ボルトねじ山を有する。屋根パネル支持部材は、ほぼ水平に延在し、屋根パネル側壁ボルト開孔が貫通する側壁を有する。屋根パネル支持部材は、横方向の動きを阻止するためのボルトを支持するように位置決めされたボルト保持面を有する。屋根パネルは、屋根パネル支持部材の側壁と嵌合可能な屋根パネル側壁を有する。屋根パネルは、屋根パネルを貫通する屋根パネルねじ付き開孔を有する。ボルトは、屋根パネルねじ付き開孔を通って、屋根パネル支持部材の側壁を通って延在する。屋根パネルおよび屋根パネル支持部材の少なくとも一方がボルトへのアクセスを可能にするアクセス開孔を有し、ボルトおよび屋根パネルねじ付き開孔の少なくとも一方を、ボルトおよび屋根パネルねじ付き開孔のもう一方に対して回転可能にして、屋根パネル側壁が屋根パネル支持部材側壁と接するようにする。
【０００６】
さらに別の態様では、第１の壁パネルと第２の壁パネルとを接合するための接合システムが提供される。接合システムは、第１の壁パネルに接続された第１の支持板と、第２の壁パネルに接続された第２の支持板と、第１の支持板上の第１のクランプ面と、第２の支持板上の第２のクランプ面と、を含む。接合システムは、第１の端部チャンバ内に第１の端部を有するねじ付き部材をさらに含み、ねじ付き部材は、第１の支持部材、第２の壁パネル、および第２の支持板を通過し、第１の端部は、第１のクランプ面に接する。第２の端部には、第２の壁パネルを第１の壁パネルに固定するために第２の支持板に対して締め付け可能なナットが設けられている。
【図面の簡単な説明】
【０００７】
【図１】本開示の実施形態による、一部が切り取られた、１つまたは複数の改良点を含む建物の斜視図である。
【０００８】
【図２】図１に示す建物の一部の側断面図であり、第１および第２の構造部材を接続する接合システムである改良点のうちの１つを示す。
【０００９】
【図３】図１に示す建物の別の一部の側断面図であり、異なる第１および第２の構造部材を接続する接合システムを示す。
【００１０】
【図４】図１の拡大部分の斜視図であり、図２および図３に示す接合システムを示す。
【００１１】
【図５】図２および図３に示す接合システムの分解斜視図である。
【００１２】
【図６Ａ】図２および図３に示す接合システムに含まれている雌ドグと雄ドグとの係合を示す側断面図である。
【図６Ｂ】図２および図３に示す接合システムに含まれている雌ドグと雄ドグとの係合を示す側断面図である。
【図６Ｃ】図２および図３に示す接合システムに含まれている雌ドグと雄ドグとの係合を示す側断面図である。
【図６Ｄ】図２および図３に示す接合システムに含まれている雌ドグと雄ドグとの係合を示す側断面図である。
【図６Ｅ】図２および図３に示す接合システムに含まれている雌ドグと雄ドグとの係合を示す側断面図である。
【図６Ｆ】図２および図３に示す接合システムに含まれている雌ドグと雄ドグとの係合を示す側断面図である。
【００１３】
【図７Ａ】図２および図３に示す接合システムに含まれている雌ドグおよび雄ドグの変形形態の係合を示す側断面図である。
【図７Ｂ】図２および図３に示す接合システムに含まれている雌ドグおよび雄ドグの変形形態の係合を示す側断面図である。
【図７Ｃ】図２および図３に示す接合システムに含まれている雌ドグおよび雄ドグの変形形態の係合を示す側断面図である。
【００１４】
【図８】図１に示す建物からの２つ屋根パネルの斜視図である。
【００１５】
【図９】本開示の別の実施形態による屋根パネル接合システムを組み込んだ屋根パネルと屋根パネル支持部材との間の接続部の立面断面図である。
【００１６】
【図１０】図９に示す屋根パネル支持部材の一部の斜視図である。
【００１７】
【図１１】図２に示す接合システムを使用して、互いに結合可能な２つの壁パネルの分解斜視切欠き図である。
【００１８】
【図１２】図１に示す建物において有利に使用することができる壁パネル接合システムを介して接続された第１および第２の壁パネルの立面断面図である。
【００１９】
【図１３】図１に示す建物において有利に使用することができる床支持システムの立面断面図である。
【００２０】
【図１４】図１３に示す床支持システムの斜視図である。
【００２１】
【図１５】図１３に示す床支持システムの一部に対する代替形態の斜視図である。
【発明を実施するための形態】
【００２２】
図１を参照すると、本図は、モジュール式構成要素から少なくとも部分的に建設された、いくつかの改良点のうちの１つまたは複数を含む建物１０を示す。第１の改良点は、図２〜図５および図６Ａ〜図６Ｆに示されており、第１の建物構造部材１４と第２の建物構造部材１６とを接続するための、全体的に１２で示す接合システムである。例えば、図２に示すように、第１の建物構造部材１４は、屋根パネルであってもよく、第２の建物構造部材１６は、切妻壁パネルであってもよい。あるいは、図３に示すように、第１の建物構造部材１４は、屋根パネルであってもよく、第２の建物構造部材は、別のタイプの壁パネルであってもよい。
【００２３】
接合システム１２は、第１の建物構造部材１４に接続可能な、第１の雌ドグ受け面２０および第２の雌ドグ受け面２２を含む雌ドグ１８を含む。第１および第２の雌ドグ受け面２０、２２は、互いにほぼ反対向きであり、開口軸線Ａを画定する雄ドグ貫通開孔２４に隣接している（図５）。雄ドグ貫通開孔２４は、ほぼ横方向に延在する雌ドグ底板２５内に画定することができる。雌ドグ底板２５は、その上に第２の雌ドグ受け面２２を有することもできる。
【００２４】
第１の雌ドグ受け面２０は、雌ドグ底板２５に対してほぼ垂直に延在する雌ドグ突起板２６上に設けられてもよい。雌ドグ突起板２６は、任意の適切な手段によって雌ドグ底板２５に固定され得る。例えば、雌ドグ突起板２６は、雌ドグ底板２５の取り付け孔内に延在するスタブを有してもよく、溶接、圧入、または任意の他の適切な手段によって固定されてもよい。
【００２５】
雌ドグ１８は、第１の構造部材１４内に画定された雌ドグチャンバ２７（図２および図３）内に、第１の構造部材内で内向きに延在する。雌ドグチャンバ２７は、第１の構造部材１４の一部を形成する、例えば、正方形の中空断面鋼管などの２８で示す、ある長さの中空断面管によって提供されてもよい。中空断面管２８は、ＥＰＳ（発泡スチロール）から製造することができるコアパネル２９（図７Ａ〜図７Ｃ）を取り囲むフレームとして構成することができる。パネルは、クロスラミネートパネルおよび従来のスタブ建築パネル技術を含む様々な建築方法および材料を使用して製造することができる。フレームおよびコアパネル２９は、住宅建設での使用で知られているように、仕上げ面を呈するＭｇＯの外面層３０によって上面および下面の両方が覆われていてもよい。屋根シート３１の層が屋根パネル上に設置されてもよい。例えば、屋根シートは、例えば、ポリマー材料または金属製材料から製造することができる波形シートなどの任意の適切な材料であってもよい。
【００２６】
接合システム１２は、第２の建物構造部材１６に接続可能な、第１の雄ドグクランプ面３３および第２の雄ドグクランプ面３４を含む雄ドグ３２をさらに含む。第１および第２の雄ドグクランプ面３３、３４は、互いにほぼ向かい合っている。雄ドグ３２の一部３６は、（図６Ａ〜図６Ｂに示すように）雄ドグ貫通開孔２４を通して挿入可能であり、雌ドグ１８を締め付けるために（図６Ｃ〜図６Ｅに矢印Ｄ１によって示す）第１のほぼ横方向に移動可能である。雄ドグ３２は、ほぼ横方向に延在し、第２の雄ドグクランプ面３４を有する雄ドグ底板３８を含む。雄ドグ３２は、雄ドグ底板３８に対してほぼ垂直に延在する雄ドグ突起板４０をさらに含むことができる。雄ドグ突起板４０は、雌ドグ突起板２６を雌ドグ底板２５に固定するための上記の手段のいずれかなどの任意の適切な手段によって雄ドグ底板に取り付けられ得る。
【００２７】
接合システム１２は、雌ドグ１８上に第１のロック構造４４および雄ドグ３２上に第２のロック構造４６を含むロック装置４２をさらに含む。第１のロック構造４４は、第２のロック構造４６と係合可能であり、雄ドグ３２の第１の横方向への移動を可能にし、それにより雌ドグ１８に対する雄ドグ３２のクランプ力を増大させ、第１のほぼ横方向とは反対の第２のほぼ横方向への雄ドグ３２の移動を阻止する。
【００２８】
図２〜図５および図６Ａ〜図６Ｆに示す実施形態では、第１のロック構造４４は、雌ドグ１８上に爪４８（爪板の形態）を含み、第２のロック構造は、複数の雄ドグ歯５０を含む。本実施形態では、ロック装置４２は、爪４８を雄ドグ歯５０と係合するように促す爪付勢部材５２をさらに含む。爪付勢部材５２は、複数の螺旋コイルばね５４の形態であってもよい（または、任意の他の適切なタイプの付勢部材であってもよい）。螺旋コイルばね５４は、雌ドグ底板２５および爪４８を通って延在する段付きボルト５６に取り付けられているように示されており、ナット５８で段付きボルト５６に保持されている。雌ドグ底板２５と間隔を空けた関係で爪４８を支持するワッシャ６０が示されている。
【００２９】
図６Ａ〜図６Ｆは、開孔２４を通って雌ドグ１８と完全に係合する雄ドグ３２の動きの進行を示す。図から分かるように、爪４８は、雄ドグ３２が方向Ｄ１に移動するともに、各歯５０と係合するように押し下げられ、それによって、方向Ｄ１へのさらなる移動を可能にしながら、方向Ｄ１と反対の第２の方向への移動を防止する。
【００３０】
第１および第２の構造部材１４、１６が一緒に接合されるとき、これらの部材は、雄ドグが図６Ｆに示す位置に達するようなやり方では接合されないことに留意されたい。雄ドグは、例えば、図６Ｄまたは図６Ｅに示す位置に達するのみである場合がある。しかしながら、時間の経過ともに、建物１０が落ち着くにつれ、Ｄ１の方向に雄ドグまたは雌ドグに与えられるいかなる振動または動きも、図６Ｆ示す位置に向かって（すなわち次第により大きく係合する方向に）前進させることになり、Ｄ１から離れる方向に雄ドグおよび雌ドグ３２、１８に与えられるいかなる振動または他の動きも、雄ドグおよび雌ドグ３２、１８の動きをもたらさない。したがって、時間の経過ともに、建物１０および他のイベントが落ち着くことによって本質的にすべての方向の動きが促進されると仮定すると、最終的に、雌ドグ１８と雄ドグ３２との間の係合が向上する可能性があり、これにより建物１０が強化され、建物を構成する様々な構造部材間の接合部の「方形性（ｓｑｕａｒｅｎｅｓｓ）」が改善される
【００３１】
図７Ａ〜図７Ｃは、ロック装置４２の変形形態による雄ドグ３２と雌ドグ１８の漸進的な係合を示し、第１のロック構造４４は、第１の雌ドグ受け面２０上に複数の雌ドグ歯５２を含み、第２のロック構造４６は、第１の雄ドグクランプ面３３上に複数の雄ドグ歯５４を含み、雌ドグ歯５２および雄ドグ歯５４は、ほぼ軸方向に延在し、図７Ａ〜図７Ｃの図に示される平面である、ほぼ軸方向／横方向の平面内で互いに嵌合可能である。
【００３２】
図７Ａ〜図７Ｃに示す実施形態では、第１および第２の構造部材１４、１６は、屋根パネルであり、これらのパネルは、図８でよりよく分かるように、重ね継ぎで互いに接合する。屋根パネルは、５８および６０で識別される。屋根パネル５８は、第１の延出部６２を有し、屋根パネル６０は、第１の延出部６２に重なる第２の延出部６４を有する。屋根パネル５８と６０とを接合するとき、第１の屋根パネル５８は、建物の支持構造体上に置かれ、次いで、その上側縁部が棟構造または他の屋根パネル支持部材（その一例が図９および図１０の６６で示されている）に係合するまで、上向きに所定の位置にスライドされる。屋根パネルを棟構造に接する状態にさせるこのプロセスについて、以下でさらに説明する。屋根パネル５８が屋根パネル支持部材に接して設置されると、屋根パネル６０は、その延出部６４が第１の屋根パネル５８の延出部６２の上に置かれ、重ね継ぎされる。雄ドグ３２は、延出部６４に設けられ、下向きに突き出ており、一方、雌ドグ１８は、屋根パネル５８の延出部６２に設けられている。屋根パネル６０が置かれるとき、これは、雄ドグ３２が雌ドグ１８の開孔２４（図７Ａ）を貫いて下に挿入されるように行われる。次いで、屋根パネル６０を上向きにスライドさせて、（部材６６などの）屋根パネル支持部材と接する状態にさせ、これによっても、図７Ａ〜図７Ｃの側断面図に示すように、雄ドグ３２が雌ドグ１８と徐々に、よりしっかりと係合するようになる。
【００３３】
図１１を参照すると、第１の構造部材１４であってもよい複数の雌ドグ１８を有する第１の壁パネル６８と、第２の構造部材１６であってもよい複数の雄ドグ３２を有する第２の壁パネル７０とが示されている。示される図では、雌ドグ１８および雄ドグ３２は、見やすくするために画像を見る人に面しているが、雄ドグ３２を有する壁パネル７０は、雄ドグ３２が雌ドグ１８の開孔２４に挿入されるように、ある量だけ回転しなければならないことが理解されよう。雌ドグ１８は、ドグチャンバ７２内で内向きに延在する。雄ドグ３２は、壁パネル７０の面から延出し、開孔２４を貫いてチャンバ７２に挿入され、この点で、壁パネル７０を下げて、雌ドグ１８と雄ドグ３２をクランプ係合させることができる。
【００３４】
壁パネル６８および７０は、上記の屋根パネルと同様の構造を有することができる。壁パネル６８および７０はそれぞれ、金属製チャネル部材によって形成されたフレーム７６によって取り囲まれたＥＰＳのコアパネル７４を含むことができる。ＭｇＯボードの層７８が壁パネル６８および７０の２つの面上に設けられてもよい。パネルは、クロスラミネートパネルおよび従来のスタブ建築パネル技術を含む様々な建築方法および材料を使用して製造することができる。
【００３５】
壁パネルを一緒に接合するためのシステムが図１２に示されている。第１の壁パネルは、８０で示され、第２の壁パネルは、８２で示されている。壁パネル８０および８２は、それらがしっかりと一緒に保持され得るように一緒に接合され得る。このようにして、壁パネルを縁部と縁部を突き合わせて立たせることができ、それにより、建物の高さは、１つの壁パネルの高さよりも高くなることがある。図から分かるように、各壁パネルは、ＥＰＳのコアパネル７４、フレーム７６、および壁に完成した外観を与える両側のＭｇＯボードの外側層７８を有する。パネルは、クロスラミネートパネルおよび従来のスタブ建築パネル技術を含む、様々な建築方法および材料を使用して作ることができることに留意されたい。各壁パネル８０、８２は、支持板８４を有する。第１の壁パネル８０上の支持板８４は、第１の支持板８４ａと呼ばれることがある。第２の壁パネル８２の支持板８４は、第２の支持板８４ｂと呼ばれることがある。第１の支持板８４ａは、クランプ面８６を有し、第２の支持板８４ｂは、第２のクランプ面８８を有する。ねじ付き部材９０（例えば、ねじ付き棒）は、第１の壁パネル８０の第１の端部チャンバ９２から、第１の支持板８４ａ、第２の壁パネル８２、および第２の支持板８４ｂを通過する。９４で示す第１の端部は、ナットサート９６によって、または第１の端部９４が支持板８４ａを通過するのを防止する任意の他の適切な手段によって第１のクランプ面８６に接する。
【００３６】
ねじ付き部材９０の９８で示す第２の端部は、第２のクランプ面８８に対して締め付けることができるナット１００を有する。ナットを締め付けることによって、第２の壁パネル８２は、第１の壁パネル８０の縁部に対してしっかりと締め付けられる。雄ドグおよび雌ドグ（図１２には示されていない）を使用して、図１１に示す壁パネルでの使用と同様のやり方で２つの壁パネルの接合を支援することもできる。したがって、ナット１００がより強く締められるほど、ドグ１８および３２は、互いにより強く係合する。
【００３７】
また、図１２には、隣接する２つの壁パネル８０と８２との間の境界面を覆うために設けられたスペーサ１０１が示されている。スペーサ１０１は、壁パネル８０と８２との間の境界面を、境界面に対して有害になる可能性がある湿気または他の汚染物質の導入から密閉することもできる。スペーサ１０１は、隣接する壁パネル８０および８２の互いの外側層７８間の距離に、ある程度の公差を許容する役目も働き、それにより、壁パネル８０および８２が所望通りに互いに接していなくても、境界面は、露出しない。
【００３８】
図１３を参照すると、本図は、第１の壁パネル８０がどのように床に接合されるかを示している。図１３では、ねじ付き部材９０が支持板（この例では１０６で示す矩形中空断面横梁の上部壁１０４である）を通って上に延在している。ナットサート９６は、ねじ付き部材９０の第１の端部９４が上部壁１０４を通過するのを防ぐ。ねじ付き部材９０は、支持板を通過して、壁パネル８０に入り、壁パネル８０を通って、図１２に示すように、支持板８４ｂを通過し、ナット１００を介して締め付けられる。
【００３９】
再び図１３を参照すると、壁パネル８０が取り付けられる１１０で示す床面と係合するために、壁端部材１０８が壁パネル８０の下側縁部に設けられてもよい。壁端部材１０８は、壁端部材ハウジング１１２および壁端部材コア部材１１４を含むことができる。
【００４０】
床パネル１１５を支持するための有利な床支持システムが図１３の１５０で示されている。床支持システム１５０は、前述の横梁１０６および床支持部材１１６を含む。横梁１０６は、水平に延在し、前述の頂壁１０４、底壁１１８、および側壁１２０を有する。本実施形態では、横梁は、矩形中空断面梁であり、したがって、側壁１２０は、第１の壁であり、横梁１０６は、さらに第２の側壁１２２を含む。横梁１０６は、頂壁１０４、底壁１１８、および側壁１２０（および本例では、第２の側壁１２２）によって少なくとも部分的に画定された内部１２４をさらに有する。
【００４１】
側壁１２０は、１２６で示す複数の床支持貫通スロットを有する。床支持貫通スロット１２６は、互いに水平方向に離間している。横梁１０６は、図１３により明確に示されている。床支持部材１１６は、ほぼＬ字形であり、側壁１２０に直接隣接して、内部のスロットから上向きに延在する垂直部分１２８と、床パネル１１５を支持するためにスロット１２６を通って外側に延在する水平部分１３０と、を含む。横梁１０６および床支持部材１１６の実施形態が図１４に示されている。図から分かるように、床支持体１１６は、垂直部分１２８に切欠き１３２が設けられており、この切欠きは、複数のスロット１２６に適合することができるように水平部分１３０に部分的に延在する。あるいは、個々の床支持体１１６が設けられてもよい。床支持部材１１６をこのようにして横梁１０６に取り付けることによって、床支持部材１１６は、横梁１０６によって支持されるが、横梁１０６とは別部材である。床支持部材１１６を横梁１０６に接続するために、溶接および機械的留め具は、必要でない。これにより、溶接に依存する接合部と比較して、より予測可能な接合部が提供され、設置に費やす時間が比較的短くなる。
【００４２】
ドイツのＸｅｌｌａグループによって所有されるＨｅｂｅｌ（登録商標）というブランド名の下で提供される気泡コンクリートであってもよい床パネル１１５は、床支持部材１１６の水平部分１３０に支持され得て、機械的留め具１３２（例えば、コンクリートねじ）を使用して固定され得て、それにより、床パネル１１５が横梁１０６の側壁１２０に接する。これにより、床支持部材１１６が側壁１２０の内面に対してぴったりと保持される。
【００４３】
前述の出願における「コアパネル」または「パネル」は、交差積層、木材、スタッド壁、従来の建築パネル技術を含む当業者に知られている、複数の様々な建築方法および材料を使用して製造することができる。
【００４４】
当業者は、さらなる代替の実施態様および修正形態が可能であり、上記の例は、１つまたは複数の実施態様の単なる例示であることを理解されるであろう。したがって、範囲は、添付された特許請求の範囲によってのみ限定されるものとする。
【図１】
2020504257.tif 000003
【図２】
2020504257.tif 000004
【図３】
2020504257.tif 000005
【図４】
2020504257.tif 000006
【図５】
2020504257.tif 000007
【図６Ａ】
2020504257.tif 000008
【図６Ｂ】
2020504257.tif 000009
【図６Ｃ】
2020504257.tif 000010
【図６Ｄ】
2020504257.tif 000011
【図６Ｅ】
2020504257.tif 000012
【図６Ｆ】
2020504257.tif 000013
【図７Ａ】
2020504257.tif 000014
【図７Ｂ−７Ｃ】
2020504257.tif 000015
【図８】
2020504257.tif 000016
【図９】
2020504257.tif 000017
【図１０】
2020504257.tif 000018
【図１１】
2020504257.tif 000019
【図１２】
2020504257.tif 000020
【図１３】
2020504257.tif 000021
【図１４】
2020504257.tif 000022
【図１５】
2020504257.tif 000023
【図１６】
2020504257.tif 000024
【国際調査報告】
2020504257.tif 000025
2020504257.tif 000026
2020504257.tif 000027